(57)【要約】【課題】録画チャンネルの数が変更される場合に好適な録画処理を実行できる録画装置及び録画方法を提供する。【解決手段】実施形態に係る録画装置は、第１の数以下のチャンネルの映像データを受信する受信手段と、記憶媒体の記憶領域を、第１の数に応じた数の分割領域毎に管理する管理手段と、録画チャンネルを決定する決定手段と、決定手段により複数の録画チャンネルが決定された場合、当該複数の録画チャンネルの夫々を、チャンネル毎に異なる分割領域に割り当てる割当手段と、録画チャンネルの映像データを、割り当てられた分割領域に書き込ませる制御手段とを備え、割当手段は、決定手段により録画チャンネルが変更された場合、当該変更前の録画チャンネルの何れかに割り当てていた分割領域に、変更後の録画チャンネルの何れかのチャンネルを割り当てる。【選択図】  図３
2012165074.tif 000002
【特許請求の範囲】
【請求項１】
第１の数以下のチャンネルの映像データを受信する受信手段と、
記憶媒体の記憶領域を、前記第１の数に応じた数の分割領域毎に管理する管理手段と、
録画チャンネルを決定する決定手段と、
前記決定手段により複数の録画チャンネルが決定された場合、当該複数の録画チャンネルの夫々を、チャンネル毎に異なる前記分割領域に割り当てる割当手段と、
前記録画チャンネルの映像データを、割り当てられた前記分割領域に書き込ませる制御手段と
を備え、
前記割当手段は、前記決定手段が前記録画チャンネルの変更を決定した場合、当該変更前の録画チャンネルの何れかに割り当てていた前記分割領域に、変更後の録画チャンネルの何れかのチャンネルを割り当てる、録画装置。
【請求項２】
前記割当手段は、前記複数の録画チャンネルの夫々に同じ数の前記分割領域を割り当てる、請求項１記載の録画装置。
【請求項３】
前記割当手段は、前記複数の録画チャンネルの夫々に、当該複数の録画チャンネルの映像データのビットレートに応じた数の前記分割領域を割り当てる、請求項１記載の録画装置。
【請求項４】
前記割当手段は、前記決定手段が前記録画チャンネルの追加を決定した場合、当該追加前の夫々の録画チャンネルに割り当てていた複数の分割領域の中から録画チャンネル毎に少なくとも１つの分割領域を開放して、前記追加された録画チャンネルを当該開放した分割領域に割り当てる、請求項１記載の録画装置。
【請求項５】
前記割当手段は、前記決定手段が録画チャンネルの追加を決定した場合、当該追加前の録画チャンネルの映像データが書き込み中であった分割領域とは異なる分割領域のうち、最も古い映像データが記憶されている分割領域を開放する、請求項４記載の録画装置。
【請求項６】
前記割当手段は、前記決定手段が第１の録画チャンネルの録画の停止を決定した場合、前記第１の録画チャンネルを割り当てていた分割領域に隣接する分割領域に割り当てていたチャンネルを当該分割領域に割り当てる、請求項１記載の録画装置。
【請求項７】
前記管理手段は、前記記憶媒体の記憶領域を、前記決定手段が決定しうる録画チャンネルのチャンネル数の最小公倍数の前記分割領域毎に管理する、請求項１記載の録画装置。
【請求項８】
前記管理手段は、前記記憶媒体の記憶領域を、前記受信手段が受信する複数の映像データのビットレート比に応じた数の前記分割領域毎に管理する、請求項７記載の録画装置。
【請求項９】
第１の数以下のチャンネルの映像データを受信することと、
記憶媒体の記憶領域を、前記第１の数に応じた数の分割領域毎に管理することと、
録画チャンネルを決定することと、
複数の録画チャンネルが決定された場合、当該複数の録画チャンネルの夫々を、チャンネル毎に異なる前記分割領域に割り当てることと、
前記録画チャンネルの映像データを、割り当てられた前記分割領域に書き込ませることと、
録画チャンネルの変更が決定された場合、当該変更前の録画チャンネルの何れかに割り当てられていた前記分割領域に、変更後の録画チャンネルの何れかのチャンネルを割り当てることと
を備える録画方法。
【発明の詳細な説明】
【技術分野】
【０００１】
録画装置及び録画方法に関する。
【背景技術】
【０００２】
複数のチューナを有する録画装置において、複数チャンネルのループ録画を行う技術がある。ループ録画とは、記憶媒体にループ録画用の記憶領域を割り当て、当該領域内の録画始点から終点まで記憶が進むと、再び始点に戻って上書き記憶する録画方式である。
【先行技術文献】
【特許文献】
【０００３】
【特許文献１】特開２００８−１０１１８号公報
【発明の概要】
【発明が解決しようとする課題】
【０００４】
ところで、複数チャンネルをループ録画している際に、例えばユーザからの操作入力等により、ループ録画するチャンネルの数が変更される場合がある。そして、ループ録画のチャンネル数が変更された場合であっても、複数チャンネルのループ録画を継続できることが好ましい。
【０００５】
そこで本発明の実施形態は、録画チャンネルの数が変更される場合に好適な録画処理を実行できる録画装置及び録画方法の提供を目的とする。
【課題を解決するための手段】
【０００６】
上記の課題を解決するために、実施形態に係る録画装置は、第１の数以下のチャンネルの映像データを受信する受信手段と、記憶媒体の記憶領域を、第１の数に応じた数の分割領域毎に管理する管理手段と、録画チャンネルを決定する決定手段と、決定手段により複数の録画チャンネルが決定された場合、当該複数の録画チャンネルの夫々を、チャンネル毎に異なる分割領域に割り当てる割当手段と、録画チャンネルの映像データを、割り当てられた分割領域に書き込ませる制御手段とを備え、割当手段は、決定手段により録画チャンネルが変更された場合、当該変更前の録画チャンネルの何れかに割り当てていた分割領域に、変更後の録画チャンネルの何れかのチャンネルを割り当てる。
【図面の簡単な説明】
【０００７】
【図１】実施形態のテレビ装置の利用形態例を示す図。
【図２】実施形態のテレビ装置のシステム構成例を示す図。
【図３】実施形態のテレビ装置の機能ブロック例を示す図。
【図４】実施形態のテレビ装置によるループ録画の処理例を示す図。
【図５】実施形態のテレビ装置によるループ録画の処理例を示す図。
【図６】実施形態のテレビ装置によるループ録画の処理例を示す図。
【図７】実施形態のテレビ装置によるループ録画の処理例を示す図。
【図８】実施形態のテレビ装置によるループ録画の処理フロー例を示す図。
【発明を実施するための形態】
【０００８】
まず、図１を参照して、実施形態に係る録画装置の利用形態例を説明する。ここで実施形態に係る録画装置は、例えばテレビ装置２００として実現されている。
アンテナ１００は、放送基地局から送信される放送波を受信する。そしてアンテナ１００は、受信した放送波の信号をテレビ装置２００に出力する。
テレビ装置２００は、受信部２０１、記憶媒体部２０７等を備え、受信部２０１が受信したテレビ放送の映像データを記憶媒体部２０７に記憶する機能を有する。そしてテレビ装置２００は、複数チャンネルの映像データを記憶媒体部２０７内のループ録画用領域２０７１に同時にループ録画することができる。ここでループ録画とは、通常の録画用の記憶領域とは別にループ録画用の記憶領域を確保し、当該ループ録画用記憶領域内で上書き録画を繰り返す録画方式である。
【０００９】
ここでテレビ装置２００は、例えば記憶媒体部２０７の記憶領域Ａ１乃至Ａ３を夫々ループ録画用の記憶領域として割り当て、当該記憶領域Ａ１乃至Ａ３の夫々に何れか１のチャンネルの映像データを録画し続けることができる。そしてテレビ装置２００は、例えば領域Ａ１において位置Ｂ１から位置Ｂ２まで録画を行うと、録画する位置を位置Ｂ１にループさせて当該位置Ｂ１から、領域Ａ１に既に記憶されたデータに対して上書き録画を行う。またテレビ装置２００は、領域Ａ２においては位置Ｂ２から位置Ｂ３まで録画すると、再度位置Ｂ２から録画を行い、領域Ａ３においては位置Ｂ３から位置Ｂ４まで録画すると、位置Ｂ３に戻って上書き録画を行う。
【００１０】
そして本実施形態のテレビ装置２００は、同時にループ録画するチャンネルの数を変更する場合に、好適な録画処理を継続できるものあるが、詳細については図２乃至図６を参照して後述する。
【００１１】
図２はテレビ装置２００のシステム構成例を示す図である。テレビ装置２００は、受信部２０１、ＴＳ再多重部２０２、ＴＳ分離部２０３、ＣＡＳ制御部２０４、デスクランブラ部２０５、録画再生制御部２０６、記憶媒体部２０７、デコード部２０８、表示処理部２０９、表示部２１０、操作受付部２１１等を備えている。
【００１２】
受信部２０１はアンテナ１００（図２では不図示）と接続され、テレビ放送波を受信する。ここで、受信部２０１は、チューナ２２１乃至２２４を備える。これらのチューナ２２１乃至２２４は、受信すべきテレビ放送のチャンネル周波数と同期することによりテレビ放送波を受信する。そしてこれらチューナは、例えば地上波テジタル放送やＢＳデジタル放送等の放送波を受信する。またテレビ装置２００は複数のチューナを備えているので、同時刻において複数チャンネルの放送波を受信できる。なお受信部２０１は、ネットワークを介してＩＰテレビ等の映像データを受信してもよい。
【００１３】
ＴＳ再多重部２０２は、受信部２０１で受信された放送データを再多重する機能を有する。このＴＳ再多重部２０２は、受信部２０１で受信された複数チャンネルのストリームを一つのＴＳ（Ｔｒａｎｓｐｏｒｔ  Ｓｔｒｅａｍ）に再多重し、再多重したＴＳをＴＳ分離部２０３へと出力する。
【００１４】
ＴＳ分離部２０３は、再多重された一つのＴＳから、符号化された音声データや映像データであるＥＳ（Ｅｌｅｍｅｎｔａｒｙ  Ｓｔｒｅａｍ）や、暗号化情報であるＥＣＭ（Ｅｎｔｉｔｉｌｅｍｅｎｔ  Ｃｏｎｔｒｏｌ  Ｍｅｓｓａｇｅ）、放送番組の開始時刻や番組名等の情報が記述されたＥＩＴ（Ｅｖｅｎｔ  Ｉｎｆｏｒｍａｔｉｏｎ  Ｔａｂｌｅ）等に分離する。そしてＴＳ分離部２０３は、ＥＳをデスクランブラ部２０５へ、ＥＣＭをＣＡＳ制御部２０４へ、ＥＩＴを番組情報処理部２１１に出力する。
【００１５】
ＣＡＳ制御部２０４には、ＴＳ分離部２０３で分離された暗号化情報ＥＣＭが入力される。ここでＣＡＳ制御部２０４は、ＴＳ分離部２０３において分離されたＥＣＭの暗号を、ＣＡＳカード（不図示）に記憶されているワーク鍵（Ｋｗ）を用いて復号する。なお当該ワーク鍵は放送事業者毎に設定されている。
【００１６】
そしてＣＡＳ制御部２０４は、ＥＣＭに含まれる番組の属性情報とＣＡＳカードに記憶されている契約情報とを比較して、視聴可否の判定を行う。ＣＡＳ制御部２０４は、視聴可の場合にはスクランブル鍵（Ｋｓ）を復号してデスクランブラ部２０５に出力する。
【００１７】
デスクランブラ部２０５は、ＴＳ分離部２０３から入力した音声データや映像データのスクランブル処理を解除する機能を有している。スクランブル解除の際には、ＣＡＳ制御部２０４から入力した前記スクランブル鍵（Ｋｓ）を用いる。そしてデスクランブラ部２０５は、スクランブル解除した音声データや映像データを録画再生制御部２０６に出力する。
【００１８】
録画再生制御部２０６は、録画処理および再生処理を制御する。録画処理時においては、音声データや映像データをチャンネルごとの１つのストリームに纏めて、記憶媒体部２０７への保存を行う。ここで録画再生制御部２０６は、受信部２０１が受信した複数チャンネルの映像データ及び音声データを、記憶媒体部２０７に夫々ループ録画する機能を有する。さらに当該ループ録画の際に録画再生制御部２０６は、ループ録画するチャンネル数を変更した場合に、当該変更後の録画チャンネルの夫々に対して録画領域を割り当て、ループ録画を継続して行うことができる。なお当該ループ録画の詳細については図３乃至図６を参照して後述する。
【００１９】
また録画再生制御部２０６は再生処理時において、記憶媒体部２０７に記憶された映像データ及び音声データをデコード部２０８へ出力する。
記憶媒体部２０７は、録画再生制御部２０６から入力される映像データや音声データ等を記憶するＨＤＤ等の記憶媒体である。ここで記憶媒体部２０７は、複数のチャンネルの映像データ及び音声データを、録画再生制御部２０６による制御に応じてループ録画する機能を有し、ループ録画する夫々のチャンネルの映像データ及び音声データを、チャンネル毎に異なる記憶領域に記憶する。なお記憶媒体部２０７は、テレビ装置１００の筐体内に内蔵されても、あるいは当該筐体の外部にデジタルインタフェースを介して接続されてもよい。
【００２０】
デコード部２０８は、再生処理時において録画再生制御部２０６から入力される映像データや音声データをデコードする。そして当該デコードした映像データを表示処理部２０９に、音声データをスピーカ（不図示）に出力する。
【００２１】
表示処理部２０９は、デコード部２０８から入力された映像データに基づいてディスプレイ表示用の信号を生成し、当該生成した信号を表示部２１０に出力する。また表示処理部２０９は、ＧＵＩ処理部２１２から入力される画面データに基づいた信号を生成して表示部２１０に出力する。そして表示部２１０は、入力された信号に基づいた映像を表示する。
【００２２】
操作受付部２１１は、リモートコントローラ等の操作入力装置からの操作入力を受け付ける。ここで操作受付部２１１は、例えばループ録画するチャンネルを選択／決定する操作入力や、録画した番組を再生する操作入力等を受け付ける。
【００２３】
次に図３を参照して、録画再生制御部２０６の機能ブロック例を説明する。録画再生制御部２０６は、録画チャンネル決定部３１１、録画領域制御部３１２、チャンネル情報データベース３１３等を備える。
【００２４】
録画チャンネル決定部３１１はループ録画するチャンネルを決定する。ここで録画チャンネル決定部３１１は、例えば操作受付部２１１が受け付けた、ループ録画チャンネルの選択／決定操作入力等に基づいて、ループ録画するチャンネルを決定する。また操作受付部２１１は、ユーザからの操作入力がない場合であっても所定のチャンネルをデフォルトでループ録画チャンネルとして決定してもよい。そして録画チャンネル決定部３１１は、決定した録画チャンネルを録画領域設定部３１２に通知する。
【００２５】
録画領域制御部３１２は、入力された映像データを記憶媒体部２０７の所定の領域にループ録画させる。ここで録画領域制御部３１２は、記憶媒体部２０７内のループ録画用の録画領域２０７１を、テレビ装置１００が同時に録画可能なチャンネル数、例えばループ録画に用いることが可能なループ録画用チューナの数に応じた分割数で分割し、分割した領域毎にチャンネルの割り当てを管理する。つまり録画領域制御部３１２は、記憶領域２０７１を、夫々何れかのチャンネルに対応付けられうる複数の領域に分割し、分割した夫々の領域に対して録画チャンネル決定部３１１が決定したチャンネルの何れかを対応付ける。そして録画領域制御部３１２は、夫々のチャンネルを対応付けた領域に当該チャンネルの映像データをループ録画する。
【００２６】
図４は、録画領域制御部３１２による録画領域の割り当て処理例を示す図である。ここで録画領域制御部３１２は、記憶媒体部２０７のループ録画用の録画領域を、例えばループ録画の可能なチャンネル数の最小公倍数に分割する。つまり、ユーザ操作等により、録画チャンネル数が例えば１、２、３及び４の何れかに変更される可能性がある場合、ループ録画用の録画領域を１、２、３及び４の最小公倍数である１２の領域に分割する。
【００２７】
これにより、同時にループ録画されるチャンネルの数が１乃至４の何れの場合であっても、録画領域制御部３１２は録画チャンネルの夫々に対して略同サイズ（記憶容量）の記憶領域を割り当てることができる。つまり、４つのチャンネルがループ録画される場合には１２分割された領域のうち３領域をチャンネル毎に割り当て、録画チャンネル数が３の場合には４領域をチャンネル毎に割り当て、録画チャンネル数が２の場合には６領域をチャンネル毎に割り当てる。
【００２８】
なお、同時にループ録画できるチャンネルの数が、予め一定数以上として設定されている場合は、当該一定数と録画可能な最大数との間の数の最小公倍数に分割しても良い。つまり、同時にループ録画可能なチャンネル数が例えば４乃至６チャンネルとして設定されており、ループ録画チャンネル数が４、５及び６の何れかに変更される可能性がある場合、録画領域制御部３１２は、ループ録画用の録画領域を４、５及び６の最小公倍数である６０の領域に分割する。また録画領域制御部３１２は、例えば放送の受信地域の関係等により受信可能なチャンネル数が、ループ録画に使用できるチューナ数よりも少ない場合、当該受信可能なチャンネル数に基づいた数にループ録画用の録画領域を分割しても良い。
【００２９】
そして、図４（Ａ）は、録画領域制御部３１２がチャンネル１乃至３の映像データを夫々のチャンネル毎の領域に割り当ててループ録画している場合の処理例を示す。なお図４（Ａ）では、テレビ装置１００が、録画チャンネル数を１、２、３及び４の何れかに設定する可能性がある場合において、３つのチャンネルをループ録画している場合を示している。
【００３０】
まず録画領域制御部３１２は、ループ録画用の録画領域を、例えばテレビ装置１００がループ録画可能なチャンネル数、即ち１、２、３及び４の最小公倍数である１２の領域Ｃ１乃至Ｃ１２に分割する。そして録画領域制御部３１２は、領域Ｃ１乃至Ｃ４にチャンネル１を、領域Ｃ５乃至Ｃ８にチャンネル２を、領域Ｃ９乃至Ｃ１２にチャンネル３を割り当てて、夫々のチャンネルの映像データをループ録画している。
【００３１】
ここで録画領域制御部３１２は、録画チャンネル決定部３１１から録画チャンネルを１チャンネル追加する通知を受けると、図４（Ｂ）に示すように、チャンネル１乃至３に夫々割り当てられている複数の領域のうち、チャンネル毎に１つの領域を開放する。そしてこの場合に録画領域制御部３１２は、連続（隣接）した領域を優先的に開放することができる。なお、ここで開放とは、例えば領域とチャンネルとの割当関係（対応関係）をリセットすることや、領域に書き込まれた映像データを消去すること等を指す。
【００３２】
つまり、例えばチャンネル１に割り当てられている領域Ｃ１乃至Ｃ４のうち領域Ｃ４を優先的に開放し、またチャンネル２に割り当てられている領域Ｃ５乃至Ｃ６のうち領域Ｃ５を優先的に開放することにより、連続する領域を優先的に開放できる。また、チャンネル３についても、当該チャンネル３に割り当てられている領域Ｃ９乃至Ｃ１２のうち、領域Ｃ９を開放することにより、当該開放して領域によってチャンネル３の録画領域が分断されることを抑制できる。
【００３３】
そして録画領域制御部３１２は、開放した領域Ｃ４、Ｃ５、Ｃ９を、図４（Ｃ）に示すように、新たにループ録画を開始するチャンネル４に割り当て、当該チャンネル４の映像データのループ録画を開始する。この場合に録画領域制御部３１２は、当該映像データを、例えばＢ５の位置からＢ６の位置に向かって書き込み、書き込み位置(録画位置)がＢ６に到達すると、続いてＢ３からＢ７に向かって書き込む。ここで録画領域制御部３１２、チャンネル４の映像データをＢ７の位置まで書き込むと、再度Ｂ５の位置に戻り、既にチャンネル４の映像データが書き込まれた領域に対して上書き書き込みを行う。
【００３４】
また録画領域制御部３１２は、録画領域の割り当てを変更した後において、チャンネル１を領域Ｃ１乃至Ｃ３に、チャンネル２を領域Ｃ６乃至Ｃ８に、チャンネル３を領域Ｃ１０乃至Ｃ１２にループ録画する。なお図４（Ｃ）乃至（Ｃ）において録画領域制御部３１２は、チャンネル１乃至３の映像データのループ録画を停止することなく、夫々のチャンネルに割り当てた録画領域へのループ録画を継続する。
【００３５】
図５に、録画領域制御部３１２による録画領域の制御処理例を示す。図４に示した処理においては、録画領域制御部３１２は、ループ録画するチャンネルを追加する場合、隣接する領域を優先的に開放していたが、当該図６に示す例では、ループ録画の書き込み中の位置（録画位置）に応じた領域を開放する。なお図６においてテレビ装置１００は、図４の場合と同様に、チャンネル１をＢ１からＢ２に向かって、チャンネル２をＢ２からＢ３に向かって、チャンネル３をＢ３からＢ４に向かってループ録画している。
【００３６】
録画領域制御部３１２は、チャンネル１乃至３をループ録画している場合に、録画チャンネル決定部３１１からループ録画するチャンネルを追加する通知を受けると、チャンネル１乃至３の夫々の映像データを何れの領域に書き込み中であるかを判別する。そして録画領域制御部３１２は、チャンネル１乃至３に対して夫々割り当てられている複数の録画領域のうち現在書き込み中の領域を除く領域の中から、書き込みデータが古い領域を開放する。
【００３７】
つまり、例えばチャンネル１について、録画チャンネルの追加通知を受けた際の書き込み位置がＲ１であるとする。ここで録画領域制御部３１２は、チャンネル１に割り当てられた領域Ｃ１乃至Ｃ４のうち、書き込み位置Ｒ１に対応する領域Ｃ３を除く領域の中から、録画データが最も古い領域Ｃ４を選択して開放する。チャンネル２及び３についても同様に、夫々のチャンネルに対して割り当てられた領域のうち、録画位置Ｒ２及びＲ３に対応する領域Ｃ６及びＣ１２を除いた領域の中から、録画データが最も古い領域Ｃ７及びＣ９を選択して開放する。そして録画領域制御部３１２は、開放した領域Ｃ４、Ｃ７及びＣ９に対してチャンネル４の映像データをループ録画する。
【００３８】
なおテレビ装置１００は、録画チャンネルを追加する場合に、ループ録画中の夫々のチャンネルから不均等な数の録画領域を開放してもよく、また、ループ録画中のチャンネルのうちの少なくとも１のチャンネルに割り当てられた領域を開放してもよい。またテレビ装置１００は、録画領域２０７１を、必ずしもテレビ装置１００が同時にループ録画しうるチャンネル数の最小公倍数に分割しなくとも良く、少なくとも同時にループ録画可能なチャンネル数の最大数以上の数の録画領域に分割すればよい。つまり、４のチャンネルを同時にループ録画できる場合、録画領域２０７１を４又はそれ以上の数に分割すればよい。
【００３９】
図６は、録画領域制御部３１２による、ループ録画可能なチャンネル数と録画するチャンネルのビットレートとに応じた割り当て処理例を示す。図４及び５においては、ループ録画するチャンネルの夫々に対して同じ数の領域を割り当てていた。しかし、例えばビットレートが異なるチャンネルの夫々に対して同じ数の領域を割り当てると、夫々のチャンネルの録画データが録画のループにより上書きされるまでの時間が異なることとなる。このため、図６における処理では、映像のビットレートに応じて異なる数の領域を夫々のチャンネルに対して割り当てる。なお夫々のチャンネルの映像データのビットレートについての情報は、例えばテレビ装置１００に予め格納されていても良い。あるいは当該テレビ装置１００が映像データを解析してビットレート情報を取得しても良い。
【００４０】
ここで、例えばループ録画できるチャンネル数の最大数が３であり、ループ録画するチャンネルの映像データのビットレートが例えば１６Ｍｂｐｓ及び３２Ｍｂｐｓのうち何れかである場合を考える。このとき、夫々のチャンネルについてループ録画の１ループ当たりの録画時間を同じ長さにするためには、ループ録画するチャンネル数及びビットレートの変化に対して、以下で説明する数の領域が必要となる。
【００４１】
例えば、１６Ｍｂｐｓのビットレートのチャンネルを２チャンネル分録画する場合、これら２チャンネルの夫々の１ループ当たりの録画時間長を同じ長さとするためには、少なくとも２つの領域が必要となる。同様に、１６Ｍｂｐｓのビットレートのチャンネルと３２Ｍｂｐｓのビットレートのチャンネルとを１チャンネルずつ録画する場合、これら２つのチャンネルの１ループ当たりの録画時間長を同じ長さとするためには、少なくとも３つの領域が必要となる。
【００４２】
また、１６Ｍｂｐｓのビットレートのチャンネルを３チャンネル分録画する場合、これら３チャンネルの夫々の１ループ当たりの録画時間長を同じ長さとするためには、少なくとも３つの領域が必要となる。また、１６Ｍｂｐｓのビットレートのチャンネルを２チャンネル分、３２Ｍｂｐｓのビットレートのチャンネルを１チャンネル分録画する場合、これら３チャンネルを夫々同じ時間長分上書きせずループ録画するためには、少なくとも４つの領域が必要となる。また、１６Ｍｂｐｓのビットレートのチャンネルを１チャンネル分、３２Ｍｂｐｓのビットレートのチャンネルを２チャンネル分録画する場合、これら３チャンネルを夫々同じ時間長分上書きせずループ録画するためには、少なくとも５つの領域が必要となる。
【００４３】
そして上記の場合においては、夫々の場合について少なくとも必要となる領域数の最小公倍数である６０の領域に分割することが好ましい。つまり、録画するチャンネルのビットレートの比が例えばｘ：ｙ：ｚで表せる場合（ｘ、ｙ、ｚは互いに素）、夫々のチャンネルに対して同じの時間長録画可能な領域を割り当てるためには、これらの比の数値の和（ｘ＋ｙ＋ｚ）の領域に分割することが好ましい。そして、同時にループ録画しうるチャンネルのビットレート比の数値の和（ｘ＋ｙ＋ｚ）の最小公倍数に分割すれば、ビットレートが異なる場合であっても、夫々のチャンネルの１ループあたりの録画時間を同じ長さにできる。
【００４４】
ここで、図６（Ａ）において録画領域制御部３１２は、例えば互いに同じビットレートのチャンネル１及び２に対し、それぞれ３０の領域を割り当ててループ録画を実行している。ここで、チャンネル１及び２の２倍のビットレートのチャンネル３を追加してループ録画する場合、図６（Ｂ）に示すように、チャンネル１及び２に割り当てている領域のうちチャンネル毎に１５の領域を開放して、チャンネル３に割り当てる。また、チャンネル１のループ録画を停止して、チャンネル３と同じビットレートのチャンネル４を追加してループ録画する場合、録画領域制御部３１２は、チャンネル２及び３に割り当てられた複数の領域のうち、これらチャンネルのビットレートに応じた数の領域を開放してチャンネル４に割り当てる。
【００４５】
図７は、録画チャンネル数が例えば１、２、３及び４の何れかに変更される可能性がある場合における録画領域制御部３１２の割り当て処理例を示す図である。ここで録画領域制御部３１２は、ループ録画用の録画領域２０７１をＣ１乃至Ｃ１２の１２の領域に分割している。そして図７（Ａ）に示すように、領域Ｃ１乃至Ｃ３にチャンネル１を、領域Ｃ４乃至Ｃ６にチャンネル２を、領域Ｃ７乃至Ｃ９にチャンネル３を、領域Ｃ１０乃至Ｃ１２にチャンネル４を割り当ててループ録画している。
【００４６】
ここで録画領域制御部３１２は、チャンネル２のループ録画を停止する指示を受けると、図７（Ｂ）に示すようにチャンネル２に割り当てられていた領域Ｃ４乃至Ｃ６を開放する。続いて録画領域制御部３１２は、領域Ｃ４乃至Ｃ６のうち、チャンネル１に割り当てられた領域と連続（隣接）する領域Ｃ４を、チャンネル１に割り当てる。また同様に領域Ｃ４乃至Ｃ６のうち、チャンネル３の映像データをループ録画している領域と連続する領域Ｃ６を当該チャンネル３に割り当てる。そして録画領域制御部３１２は、残る領域Ｃ５をチャンネル４に割り当てる。
【００４７】
なお図７においては、夫々のチャンネルに対して均等の数の領域を割り当てる場合を示しているが、録画領域制御部３１２は、例えばチャンネル毎にビットレートが違う場合等において、当該ビットレートに応じた数の領域を夫々のチャンネルに割り当てても良い。また録画領域制御部３１２は、録画領域２０７１を、必ずしもテレビ装置１００が同時にループ録画しうるチャンネル数の最小公倍数に分割しなくとも良く、少なくとも同時にループ録画可能なチャンネル数の最大数以上の数の録画領域に分割してもよい。
【００４８】
図８に、テレビ装置１００による録画チャンネルの割り当て処理フロー例を示す。まず録画チャンネル決定部３１１は、何れのチャンネルをループ録画するか決定する（Ｓ８０１）。なおここで録画チャンネル決定部３１１は、ループ録画するチャンネルを例えばユーザからの操作入力に応じて決定する。また、ループ録画するチャンネルは予めテレビ装置１００に設定されていてもよい。
【００４９】
そして録画領域制御部３１２は、ループ録画用の録画領域２０７１を、ループ録画するチャンネルの数に応じた数に分割する（Ｓ８０２）。つまり録画領域制御部３１２は、録画領域２０７１を、例えばテレビ装置１００が同時にループ録画する可能性のあるチャンネルの数の最小公倍数に分割する。あるいは録画領域制御部３１２は、録画領域２０７１を、同時にループ録画する可能性のあるチャンネルの数と、ループ録画する可能性のあるチャンネルのビットレートに応じた数に分割しても良い。
【００５０】
次に録画再生制御部２０６は、Ｓ８０１で設定したチャンネルの映像データの受信を受信部２０１に指示し、受信部２０１は指定されたチャンネルの映像データを受信する（Ｓ８０３）。そして録画領域制御部３１２は、受信した夫々のチャンネルの映像データを、Ｓ８０２で割り当てた領域にループ録画する（Ｓ８０４）。ここで録画領域制御部３１２は、録画チャンネル決定部３１１から録画チャンネルの変更の通知を受けると（Ｓ８０５）、再度Ｓ８０２の処理を実行して、各チャンネルに録画領域を割り当てる。
【００５１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５２】
１００…アンテナ、２００…テレビ装置、２０１…受信部、２０２…ＴＳ再多重部、２０３…ＴＳ分離部、２０４…ＣＡＳ制御部、２０５…デスクランブラ部、２０６…録画再生制御部、２０７…記憶媒体部、２０８…デコード部、２０９…表示処理部、２１０…表示部、２１１…操作受付部、３１１…録画チャンネル決定部、３１２…録画領域制御部
【図１】
2012165074.tif 000003
【図２】
2012165074.tif 000004
【図３】
2012165074.tif 000005
【図４】
2012165074.tif 000006
【図５】
2012165074.tif 000007
【図６】
2012165074.tif 000008
【図７】
2012165074.tif 000009
【図８】
2012165074.tif 000010
【手続補正書】
【提出日】平成24年2月17日(2012.2.17)
【手続補正１】
【補正対象書類名】特許請求の範囲
【補正対象項目名】全文
【補正方法】変更
【補正の内容】
【特許請求の範囲】
【請求項１】
複数のチャンネルの映像データを複数のチューナのそれぞれが受信する受信手段と、
記憶媒体の記憶領域を、前記複数のチューナの数以上に分割した分割領域毎に管理する管理手段と、
前記複数のチャンネルにおいて前記映像データをループ録画する録画チャンネルを決定する決定手段と、
前記決定手段により複数の録画チャンネルが決定された場合、当該複数の録画チャンネルの夫々を、チャンネル毎に異なる前記分割領域に割り当てる割当手段と、
前記録画チャンネルの映像データを、割り当てられた前記分割領域にループ録画する制御手段とを備え、
前記割当手段は、前記決定手段が前記録画チャンネルの追加を決定した場合、当該追加前の夫々の録画チャンネルに割り当てていた複数の分割領域の中から録画チャンネル毎に、前記分割領域の一部であって少なくとも１つの分割領域を開放して、前記追加された録画チャンネルを当該開放した分割領域に割り当てる、
録画装置。
【請求項２】
前記割当手段は、前記複数の録画チャンネルの夫々に同じ数の前記分割領域を割り当てる、
請求項１記載の録画装置。
【請求項３】
前記割当手段は、前記複数の録画チャンネルの夫々に、当該複数の録画チャンネルの映像データのビットレートに応じた数の前記分割領域を割り当てる、
請求項１記載の録画装置。
【請求項４】
前記割当手段は、前記決定手段が録画チャンネルの追加を決定した場合、当該追加前の録画チャンネルの映像データが書き込み中であった分割領域とは異なる分割領域のうち、最も古い映像データが記憶されている分割領域を開放する、請求項１から３のいずれかに記載の録画装置。
【請求項５】
前記割当手段は、前記決定手段が第１の録画チャンネルの録画の停止を決定した場合、前記第１の録画チャンネルを割り当てていた分割領域に隣接する分割領域に割り当てていたチャンネルを当該分割領域に割り当てる、請求項１から４のいずれかに記載の録画装置。
【請求項６】
前記管理手段は、前記記憶媒体の記憶領域を、前記決定手段が決定しうる録画チャンネルのチャンネル数の最小公倍数の前記分割領域毎に管理する、請求項１記載の録画装置。
【請求項７】
前記管理手段は、前記記憶媒体の記憶領域を、前記受信手段が受信する複数の映像データのビットレート比に応じた数の前記分割領域毎に管理する、請求項６記載の録画装置。
【請求項８】
複数のチャンネルの映像データを複数のチューナのそれぞれが受信することと、
記憶媒体の記憶領域を、前記複数のチューナの数以上に分割した分割領域毎に管理することと、
前記複数のチャンネルにおいて前記映像データをループ録画する録画チャンネルを決定することと、
複数の録画チャンネルが決定された場合、当該複数の録画チャンネルの夫々を、チャンネル毎に異なる前記分割領域に割り当てることと、
前記録画チャンネルの映像データを、割り当てられた前記分割領域にループ録画することと、
前記録画チャンネルの追加を決定した場合、当該追加前の夫々の録画チャンネルに割り当てていた複数の分割領域の中から録画チャンネル毎に、前記分割領域の一部であって少なくとも１つの分割領域を開放して、前記追加された録画チャンネルを当該開放した分割領域に割り当てることと
を備える録画方法。